(57)【要約】【課題】予期せずに手振れ画像が撮影されてしまうことを防ぎ、補助光撮影と手振れ防止動作とを最適に行うこと。【解決手段】撮像部１０５は、撮像素子を用いて画像を撮像する。静止画電子手振れ補正部１０３は、撮像部１０５により撮像した複数枚数の画像を合成することにより手振れを補正する。フラッシュ撮影制御部１０６は、撮像の際にプリ発光または本発光を設定する。撮影制御部１０４は、フラッシュ撮影制御部１０６により本発光が設定された場合において、プリ発光と同期して撮像部１０５により撮像した際に、撮像した画像の輝度値または撮像部１０５の撮像素子のシャッタ・ゲインに基づいて、静止画電子手振れ補正部１０３を動作状態または非動作状態にする。【選択図】図１
2010204160.tif 000002
【特許請求の範囲】
【請求項１】
撮像素子を用いて画像を撮像する撮像手段と、
前記撮像手段により撮像した複数枚数の画像を合成することにより手振れを補正する手振れ補正手段と、
前記撮像の際にプリ発光または本発光を設定する発光制御手段と、
前記発光制御手段により本発光が設定された場合において、前記プリ発光の際に得られた画像の輝度値または前記撮像素子のシャッタ・ゲインに基づいて前記手振れ補正手段を動作状態または非動作状態にする撮影制御手段と、
を具備する撮像装置。
【請求項２】
前記撮影制御手段は、前記輝度値が閾値以下の場合または前記シャッタ・ゲインが閾値以下の場合に前記手振れ補正手段を動作状態にする請求項１記載の撮像装置。
【請求項３】
前記撮影制御手段は、前記発光制御手段により本発光が設定されない場合には前記手振れ補正手段を動作状態にする請求項１記載の撮像装置。
【請求項４】
請求項１記載の撮像装置を具備する通信端末装置。
【発明の詳細な説明】
【技術分野】
【０００１】
本発明は、特に手振れ補正を行う撮像装置に関する。
【背景技術】
【０００２】
近年のデジタルカメラには、撮像センサの小型化による感度劣化に伴う手振れ画像の撮影を防止するために、手振れ補正装置が搭載されている。また、手振れ補正装置の方式としては、光学系部分において、手振れを打ち消すように揺動することにより手振れを防止する光学式手振れ補正と、複数枚の画像を撮影し、撮影した複数枚の画像を合成することにより手振れを防止する電子式手振れ補正が知られている。
【０００３】
コンパクトデジタルカメラ等においては、光学系部分の小型化に伴い、光学式手振れ補正を採用する場合が多い。一方、小型化が必要な携帯電話機のカメラにおいては、複雑な光学系が必要ない電子式手振れ補正を採用するのが一般的である。
【０００４】
また、上記の方式以外の手振れ画像を防止する方法として、補助光撮影が知られている。補助光撮影では、撮影時に補助光を発光した上で静止画撮影を行なうことで、シャッタ速度を短くすることができ、その結果手振れを防止することができる。
【０００５】
また、補助光撮影において、コンパクトデジタルカメラでは、キセノン管フラッシュを用いる場合が多い。一方、小型化が必要な携帯電話機のカメラでは、大型のコンデンサが不要なＬＥＤを用いる場合が多い。
【０００６】
また、携帯電話機のカメラにおいて、電子式静止画手振れ補正とＬＥＤを用いた補助光撮影を同時に行なうことは難しい。その理由は、電子式静止画手振れ補正を行う場合は、複数枚の画像を合成する必要があるが、複数枚の画像を撮影する際に、熱容量の問題から複数枚撮影する時間に渡ってＬＥＤを高輝度で発光させることは難しい。また、ＬＥＤを長時間発光させる場合、発熱を抑えるためには発光輝度を下げる必要があるが、発光輝度を下げると被写体に照射できる光量が下がってしまい、その結果シャッタ速度を速くすることができず、手振れを防止する効果が少なくなってしまう。以上のような理由から、電子式静止画手振れ補正とＬＥＤを用いた補助光撮影とを同時に行なうことは難しい。
【０００７】
また、従来、上記の理由により、電子式手振れ補正とＬＥＤを用いた補助光撮影とを同時に行なわないようにする方法が知られている（例えば、特許文献１）。特許文献１には、照明手段がオンの設定の場合、手振れ補正手段に手振れ補正を行わせないよう制御するカメラが記載されている。
【特許文献１】特開２００８−５１９４６号公報
【発明の開示】
【発明が解決しようとする課題】
【０００８】
しかしながら、特許文献１においては、補助光発光設定がオンの場合でも、被写体が遠い場合は補助光の光が被写体に届かず、最適な露光を得るためにはシャッタ速度を遅くする必要があり、結果として手振れ画像になるという問題がある。このように、補助光発光設定がオンの場合に、静止画電子手振れ補正を単にオフにすると、予期せずに手振れ画像が撮影されてしまうという問題がある。また、特許文献１においては、被写体が遠い場合に静止画電子手振れ補正を実行しようとした際に、ユーザが補助光発光設定をオフにする必要があり、操作が煩雑になるという問題がある。
【０００９】
本発明はかかる点に鑑みてなされたものであり、予期せずに手振れ画像が撮影されてしまうことを防ぐことができ、補助光撮影と手振れ防止動作とを最適に行うことができる撮像装置を提供することを目的とする。
【課題を解決するための手段】
【００１０】
本発明の撮像装置は、撮像素子を用いて画像を撮像する撮像手段と、前記撮像手段により撮像した複数枚数の画像を合成することにより手振れを補正する手振れ補正手段と、前記撮像の際にプリ発光または本発光を設定する発光制御手段と、前記発光制御手段により本発光が設定された場合において、前記プリ発光の際に得られた画像の輝度値または前記撮像素子のシャッタ・ゲインに基づいて前記手振れ補正手段を動作状態または非動作状態にする撮影制御手段と、を具備する構成を採る。
【発明の効果】
【００１１】
本発明によれば、予期せずに手振れ画像が撮影されてしまうことを防ぐことができ、補助光撮影と手振れ防止動作とを最適に行うことができる。
【発明を実施するための最良の形態】
【００１２】
以下、本発明の実施の形態について、図面を参照して詳細に説明する。
【００１３】
（実施の形態）
図１は、本発明の実施の形態に係る撮像装置１００の構成を示すブロック図である。撮像装置１００は、携帯電話等の通信端末装置に適用することができる。
【００１４】
撮像装置１００は、補助光発光オン／オフ部１０１と、静止画電子手振れ補正オン／オフ部１０２と、静止画電子手振れ補正部１０３と、撮影制御部１０４と、撮像部１０５と、フラッシュ撮影制御部１０６と、プリ発光制御部１０７と、本発光制御部１０８とから主に構成される。以下に、各構成について、詳細に説明する。
【００１５】
補助光発光オン／オフ部１０１は、補助光の発光のオンまたはオフを検出して、検出結果を撮影制御部１０４へ出力する。補助光発光オン／オフ部１０１は、ボタンまたは液晶画面のメニュー表示の何れでも良い。
【００１６】
静止画電子手振れ補正オン／オフ部１０２は、手振れ補正のオンまたはオフを検出して、検出結果を撮影制御部１０４へ出力する。静止画電子手振れ補正オン／オフ部１０２は、ボタンまたは液晶画面のメニュー表示の何れでも良い。
【００１７】
静止画電子手振れ補正部１０３は、撮影制御部１０４の指示により、撮像部１０５の撮像素子により撮影した画像に静止画電子手振れ補正処理を行う。
【００１８】
撮影制御部１０４は、静止画電子手振れ補正オン／オフ部１０２からオンの検出結果が入力した場合に、プリ発光時の撮像部１０５の撮像素子のシャッタ・ゲインまたは撮像素子により撮像した画像の輝度値に基づいて手振れ補正の要否を判定する。また、撮影制御部１０４は、手振れ補正が必要であると判定した場合には、静止画電子手振れ補正部１０３に対して手振れ補正を指示する。また、撮影制御部１０４は、補助光発光オン／オフ部１０１からオンの検出結果が入力した場合に、フラッシュ撮影制御部１０６に対して静止画撮影時の補助光の発光を指示する。
【００１９】
撮像部１０５は、撮像素子を有し、撮影制御部１０４の制御により、撮像素子を用いて被写体を撮像する。この際、撮像部１０５は、プリ発光または本発光と同期して撮像する。そして、撮像部１０５は、撮像した画像を撮像制御部１０４へ出力する。
【００２０】
フラッシュ撮影制御部１０６は、撮影制御部１０４の指示によりプリ発光制御部１０７及び本発光制御部１０８に対して発光のオンまたはオフを設定する制御を行う。具体的には、フラッシュ撮影制御部１０６は、プリ発光制御部１０７に対してプリ発光を設定した後、本発光制御部１０８に対して本発光を設定する。
【００２１】
プリ発光制御部１０７は、フラッシュ撮影制御部１０６の制御によりプリ発光する。
【００２２】
本発光制御部１０８は、フラッシュ撮影制御部１０６の制御により本発光する。
【００２３】
次に、撮像装置１００の動作について、図２を用いて説明する。図２は、撮像装置１００の動作を示すフロー図である。
【００２４】
最初に、撮像装置１００は、撮影を開始する（ステップＳＴ２０１）。
【００２５】
次に、撮影制御部１０４は、補助光発光オン／オフ部１０１により補助光発光設定がオンであるか否かを判定する（ステップＳＴ２０２）。
【００２６】
補助光発光設定がオンであると判定した場合には（ステップＳＴ２０２：ＹＥＳ）、撮影制御部１０４は、プリ発光の実施をフラッシュ撮影制御部１０６に指示し、プリ発光制御部１０７は、フラッシュ撮影制御部１０６の制御によりプリ発光を実施する（ステップＳＴ２０３）。
【００２７】
一方、補助光発光設定がオフであると判定した場合には（ステップＳＴ２０２：ＮＯ）、撮影制御部１０４は、静止画電子手振れ補正オン／オフ部１０２により手振れ補正設定がオンであることを検出したか否かを判定する（ステップＳＴ２０４）。
【００２８】
手振れ補正設定がオフであると判定した場合には（ステップＳＴ２０４：ＮＯ）、撮像部１０５は、１枚だけ撮像する（ステップＳＴ２０５）。そして、その後ステップＳＴ２１１に処理を進める。
【００２９】
また、手振れ補正設定がオンであると判定した場合には（ステップＳＴ２０４：ＹＥＳ）、後述するステップＳＴ２０９に処理を進める。
【００３０】
また、撮影制御部１０４は、ステップＳＴ２０３において、プリ発光制御部１０７によりプリ発光を実施した後に、撮像部１０５により撮像した画像の輝度値または撮像部１０５の撮像素子のシャッタ・ゲイン値を計算する（ステップＳＴ２０６）。
【００３１】
次に、撮影制御部１０４は、静止画電子手振れ補正オン／オフ部１０２により手振れ補正設定がオンであることを検出したか否かを判定する（ステップＳＴ２０７）。
【００３２】
手振れ補正設定がオフであると判定した場合には（ステップＳＴ２０７：ＮＯ）、撮像部１０５は、撮影制御部１０４の指示により一枚撮影する（ステップＳＴ２０５）。
【００３３】
手振れ補正設定がオンであると判定した場合には（ステップＳＴ２０７：ＹＥＳ）、撮影制御部１０４は、ステップＳＴ２０６において計算した画像の輝度値または撮像素子のシャッタ・ゲイン値のプリ発光の結果から、手振れ補正が必要であるか否かを判定する（ステップＳＴ２０８）。
【００３４】
手振れ補正が不要であると判定した場合には（ステップＳＴ２０８：ＮＯ）、撮像部１０５は、撮影制御部１０４の指示により一枚撮影する（ステップＳＴ２０５）。
【００３５】
手振れ補正が必要であると判定した場合には（ステップＳＴ２０８：ＹＥＳ）、撮像部１０５は、撮影制御部１０４の指示により複数枚の画像を撮影する（ステップＳＴ２０９）。例えば、撮影制御部１０４は、画像の輝度値が閾値以下の場合、または撮像素子のシャッタ・ゲインが閾値以下の場合に手振れ補正が必要であるものと判定する。
【００３６】
次に、静止画電子手振れ補正部１０３は、手振れ補正処理を実施する（ステップＳＴ２１０）。
【００３７】
次に、撮像装置１００は、撮影を完了する（ステップＳＴ２１１）。
【００３８】
図３は、本発光と手振れ補正との設定状態を示す図である。
【００３９】
図３より、本実施の形態は、本発光設定がオンの場合に、手振れ補正設定をオンにする場合とオフにする場合とを切り替え制御することを特徴とするものである。即ち、撮像装置１００が撮像する被写体が遠くのビル等の遠景の場合には、撮像時に本発光しても光が届かないので、手振れが生じやすい。本実施の形態では、このような場合に、手振れ補正設定をオンにすることができるので、予期せぬ手振れを防ぐことができる。一方、撮像装置１００が撮像する被写体が目の前の人物等の近景である場合には、撮像時に本発光させることにより光が被写体を照射することができるので、手振れが生じ難い。本実施の形態では、このような場合に、手振れ補正設定をオフにし、１枚撮影する時にだけ発光させるので、発光に伴う発熱を抑制することができる。
【００４０】
このように、本実施の形態によれば、本発光時に手振れ補正設定のオンまたはオフを切り替え制御することにより、予期せずに手振れ画像が撮影されてしまうことを防ぐことができ、補助光撮影と手振れ防止動作とを最適に行うことができる。
【産業上の利用可能性】
【００４１】
本発明にかかる撮像装置は、特に手振れ補正を行うのに好適である。
【図面の簡単な説明】
【００４２】
【図１】本発明の実施の形態に係る撮像装置の構成を示すブロック図
【図２】本発明の実施の形態に係る撮像装置の動作を示すフロー図
【図３】本発明の実施の形態に係る本発光と手振れ補正との設定状態を示す図
【符号の説明】
【００４３】
１００  撮像装置
１０１  補助光発光オン／オフ部
１０２  静止画電子手振れ補正オン／オフ部
１０３  静止画電子手振れ補正部
１０４  撮影制御部
１０５  撮像部
１０６  フラッシュ撮影制御部
１０７  プリ発光制御部
１０８  本発光制御部
【図１】
2010204160.tif 000003
【図２】
2010204160.tif 000004
【図３】
2010204160.tif 000005